(57)【要約】【課題】グリル皿の底面と発熱層との密着性を確保し、調理性能向上と耐久性、安全性、信頼性を確立しうる調理器具の製造方法を提供することを図る。【解決手段】食品が載置される載置面２と、マイクロ波エネルギーを吸収して発熱するマイクロ波発熱体３を主成分とする発熱層４とを備えたグリル皿１の製造方法で、シート体状の発熱層４Ａの表面に複数の連通孔５を形成した後、載置面２の背面側に発熱層４Ａを圧着して発熱層４を形成させるので、圧着前または圧着中にこれら連通孔５を通じて円滑な脱気処理が行え、載置面２の底面側と発熱層４との強固な密着性を確保し、調理性能向上と耐久性、安全性、信頼性を確立できる。【選択図】図２
2012011067.tif 000002
【特許請求の範囲】
【請求項１】
食品が載置される載置面と、複数の連通孔が形成され、マイクロ波エネルギーを吸収して発熱するマイクロ波発熱体を含有する発熱層とを備えた調理器具の製造方法であって、前記載置面の背面側に前記マイクロ波発熱体を圧着して前記発熱層を形成する調理器具の製造方法。
【請求項２】
前記マイクロ波発熱体を前記載置面の背面側に圧着させる金型を用いて、前記発熱層に複数の穴状の凹部を形成する請求項１に記載の調理器具の製造方法。
【請求項３】
前記複数の穴状の凹部を、前記載置面の背面側に連通させて形成する請求項２に記載の調理器具の製造方法。
【請求項４】
前記発熱層の露出面の中央から周囲方向に向けて配設密度を変化させながら、前記複数の穴状の凹部を形成する請求項２または３に記載の調理器具の製造方法。
【発明の詳細な説明】
【技術分野】
【０００１】
本発明は、加熱装置に用いる調理器具の製造方法、特に調理器具に形成された発熱層が、照射されたマイクロ波エネルギーを吸収することによって発熱する熱を利用して食品を調理する用途に用いられるグリル皿の製造方法に関するものである。
【背景技術】
【０００２】
近年、電子レンジ等のマイクロ波加熱装置においては、食品に直接マイクロ波を照射することで食品を加熱するマイクロ波加熱機能に加え、マイクロ波加熱装置内に設置する調理器具、いわゆる、グリル皿を用いた調理機能が存在する。以下、これをグリル皿調理機能という。
【０００３】
このグリル皿調理機能は、マイクロ波エネルギーを吸収して発熱するマイクロ波発熱体からなる発熱層が形成されたグリル皿を加熱室内に設置し、そのグリル皿の上に食品を載置して、マイクロ波エネルギーの照射により発熱層から発生する熱を利用し、その食品を調理するというものである。
【０００４】
従来、前記のようなグリル皿機能を有する調理器具は、図１０に示されるような構成のものがあり（例えば、特許文献１参照）、その製造方法について、図面を参照して説明する。
【０００５】
図１０は、特許文献１に記載されたマイクロ波発熱体１００からなる発熱層１０１（発熱層１０１Ａ、１０１Ｂ）が設けられた従来のグリル皿１０２の断面図である。
【０００６】
これは、樹脂材とフェライトを混合させたマイクロ波発熱体１００と金属製の受け皿１０３からなり、波型に形成された受け皿１０３の背面１０５にマイクロ波発熱体１００を接着して構成したもので、調理物が載置される凸部１０４の直下側の発熱層１０１Ａの厚みを、それ以外の部分の発熱層１０１Ｂより厚く形成したものである。
【０００７】
このようなグリル皿１０２の一般的な製造方法は、図１１、図１２に示すようなものがある。
【０００８】
図１１、図１２より、最初に樹脂材とフェライトを混錬したのち、スリット状の開口部をもつ押出し成型機（図示せず）を通して平板状のシート体に成型したマイクロ波発熱体１００を、受け皿１０３の背面１０５に載置し、その後、マイクロ波発熱体１００の圧着金型１０６および載置面１０７と嵌合する受け金型１０８によって挟持する。
【０００９】
この時、圧着金型１０６および受け金型１０８を百数十度に保持しながら、脱気装置（図示せず）に連結された圧着金型１０６を通じて、圧着金型１０６とマイクロ波発熱体１００との間、およびマイクロ波発熱体１００と受け皿１０３の底面１０５との間を一定時間脱気した後、さらに一定時間の加圧工程を経て受け皿１０３の底面１０５に発熱層１０１Ａ、１０１Ｂを構成するというものである。
【先行技術文献】
【特許文献】
【００１０】
【特許文献１】特開２００８−２２４０８０号公報
【発明の概要】
【発明が解決しようとする課題】
【００１１】
しかしながら、従来の調理器具の製造方法においては、マイクロ波発熱体１００は受け皿１０３の底面１０５を被覆する平板状のシート体に成型されているため、圧着金型１０６とマイクロ波発熱体１００との間、およびマイクロ波発熱体１００と受け皿１０３の背面１０５との間を脱気する工程で、マイクロ波発熱体１００と受け皿１０３の背面１０５との間に、脱気しきれなかった残留気泡１０９が独立して発生する場合がある。
【００１２】
また、マイクロ波発熱体１００は、前記の脱気工程で百数十度に昇温するため、脱気工程の後の圧着工程では、マイクロ波発熱体１００の内部から徐々に発生する微量のガスが、これらの残留気泡１０９を拡大させたりすることがあり、最初の残留気泡１０９の発生を如何に抑制するかという点が課題であった。
【００１３】
このように残留気泡１０９が発生した状態では、発熱層１０１が照射されたマイクロ波を吸収して発熱しても、残留気泡１０９が存在する部位では、発熱層１０１から受け皿１０３の背面１０５に有効に熱伝導せず、受け皿１０３の載置面１０７に温度ムラが発生し、結果として調理物に加熱ムラが発生して、良好な調理結果を得られない場合があった。
【００１４】
また、発熱層１０１のうち残留気泡１０９が存在する部位では、発熱層自体が他の部位より高温化する傾向にあり、多年の使用によるヒートサイクルの結果、部分的な亀裂や剥離に至る場合もあった。
【００１５】
本発明は、前記従来の課題を解決するもので、調理器具の背面側と発熱層との密着性を確保し、調理性能向上と耐久性、安全性、信頼性を確立しうる調理器具の製造方法を提供することを目的とする。
【課題を解決するための手段】
【００１６】
上記課題を解決するために、本発明の調理器具の製造方法は、食品が載置される載置面と、複数の連通孔が形成され、マイクロ波エネルギーを吸収して発熱するマイクロ波発熱体を含有する発熱層とを備えた調理器具の製造方法であって、前記載置面の背面側に前記マイクロ波発熱体を圧着して前記発熱層を形成するものである。
【００１７】
上記の製造方法によれば、載置面の背面側にマイクロ波発熱体を圧着する工程の前に、マイクロ波発熱体の表面に複数の連通孔を形成することにより、圧着金型とマイクロ波発熱体との間、およびマイクロ波発熱体と載置面の背面との間を脱気する工程で、マイクロ波発熱体の両面からだけでなく、これら連通孔を通じて円滑な脱気処理が行える。
【００１８】
その結果、マイクロ波発熱体と載置面の背面との間に残留気泡が発生することを防止することが可能となり、その後の圧着工程においては、載置面の背面側とマイクロ波発熱体との強固な密着性を確保することができる。
【００１９】
したがって、この圧着工程でマイクロ波発熱体１００の内部から微量のガスが徐々に発生しても、これらは微細な独立気泡に留まり、載置面の背面側とマイクロ波発熱体との強固な密着性に影響することはない。
【００２０】
したがって、調理器具の載置面の背面側と発熱層との初期からの強固な密着性を確保し、調理性能向上と耐久性、安全性、信頼性を確立しうる製造方法を提供できる。
【発明の効果】
【００２１】
本発明の調理器具の製造方法によれば、マイクロ波発熱体と調理器具の載置面の背面との間に残留気泡が発生することを防止することが可能となり、最終的に載置面の背面側と
マイクロ波発熱体との強固な密着性を確保することができる。
【００２２】
したがって、載置面の背面側に構成された発熱層の初期からの強固な密着性を確保し、調理性能向上と耐久性、安全性、信頼性を確立しうる製造方法を提供できる。
【図面の簡単な説明】
【００２３】
【図１】本発明の実施の形態１におけるグリル皿の断面図
【図２】本発明の実施の形態１におけるシート体形状のマイクロ波発熱体の斜視図
【図３】本発明の実施の形態１におけるマイクロ波発熱体を主成分とする発熱層の構造を示す模式図
【図４】本発明の実施の形態１におけるグリル皿の成型行程（載置工程、脱気工程、脱気・圧着工程）を示す模式図
【図５】本発明の実施の形態２におけるシート体形状のマイクロ波発熱体の斜視図
【図６】本発明の実施の形態２におけるグリル皿の成型行程（載置工程、脱気工程、脱気・圧着工程）を示す模式図
【図７】本発明の実施の形態２におけるグリル皿の断面図
【図８】本発明の実施の形態３におけるグリル皿の成型行程（載置工程、脱気工程、脱気・圧着工程）を示す模式図
【図９】本発明の実施の形態３におけるグリル皿の断面図
【図１０】従来のグリル皿の断面図
【図１１】従来のグリル皿に用いた平板シート体形状のマイクロ波発熱体の斜視図
【図１２】従来のグリル皿の成型行程を示す模式図
【発明を実施するための形態】
【００２４】
第１の発明は、食品が載置される載置面と、複数の連通孔が形成され、マイクロ波エネルギーを吸収して発熱するマイクロ波発熱体を含有する発熱層とを備えた調理器具の製造方法であって、前記載置面の背面側に前記マイクロ波発熱体を圧着して前記発熱層を形成するものである。
【００２５】
本発明によれば、載置面の背面側にマイクロ波発熱体を圧着する工程の前に、マイクロ波発熱体の表面に複数の連通孔を形成することにより、圧着金型とマイクロ波発熱体との間、およびマイクロ波発熱体と載置面の背面との間を脱気する工程で、マイクロ波発熱体の両面からだけでなく、これら連通孔を通じて円滑な脱気処理が行える。
【００２６】
その結果、マイクロ波発熱体と載置面の背面との間に残留気泡が発生することを防止することが可能となり、その後の圧着工程においては、載置面の背面側とマイクロ波発熱体との強固な密着性を確保することができる。
【００２７】
したがって、この圧着工程でマイクロ波発熱体の内部から微量のガスが徐々に発生しても、これらは微細な独立気泡に留まり、載置面の背面側とマイクロ波発熱体との強固な密着性に影響することはない。
【００２８】
なお、複数の連通孔の直径によっては、圧着工程でその直径が縮小あるいは連通孔の周壁が接触しあって最終的に連通孔自体が閉塞することもあるが、これらの状態は、載置面の背面側とマイクロ波発熱体との密着強度になんら影響することはない。
【００２９】
したがって、調理器具の載置面の底面側と発熱層との初期からの強固な密着性を確保し、調理性能向上と耐久性、安全性、信頼性を確立しうる製造方法を提供できる。
【００３０】
第２の発明は、特に、第１の発明で、マイクロ波発熱体を載置面の背面側に圧着させる
金型を用いて、発熱層に複数の穴状の凹部を形成するものである。
【００３１】
本発明によれば、マイクロ波発熱体の初期の構成が孔のない平板状で形成されていても、圧着金型に複数の凸部を配設するなどの構成により、圧着金型がマイクロ波発熱体に近接していく段階で、マイクロ波発熱体の表面に複数の穴状の凹部を形成しながら同時に脱気工程を進行させることができる。
【００３２】
この時、マイクロ波発熱体で孔状の凹部が形成される部分の厚みは薄くなるため、その該当部分と載置面の背面側で残留気泡はほとんど発生しない。また、複数の孔状の凹部と圧着金型の複数の凸部の間からも同時に脱気されるため、圧着金型とマイクロ波発熱体の間での残留気泡の発生もほとんどなく、載置面の背面側とマイクロ波発熱体との強固な密着性を確保することができる。
【００３３】
第３の発明は、特に、第２の発明で、複数の穴状の凹部を、載置面の背面側に連通させて形成することにより、脱気工程だけでなく圧着工程においても、マイクロ波発熱体における載置面の背面側への連通部から脱気することができるため、脱気処理の確実性を高めることができる。
【００３４】
第４の発明は、特に、第２から第３のいずれか１つの発明で、発熱層の露出面の中央から周囲方向に向けて配設密度を変化させながら、複数の穴状の凹部を形成することにより、この調理器具を実際に使用した場合に、加熱装置内のマイクロ波エネルギーの偏りに対応して複数の穴状の凹部の配設密度を最適化させることが可能である。
【００３５】
実際には、調理器具の中央部近傍がその周囲より高温化しやすいので、それに応じて複数の穴状の凹部は中央部近傍の配設密度を大きく、周囲側を小さく設定しておけば、載置面の温度分布を均一化することができる。
【００３６】
このように、載置面の背面側とマイクロ波発熱体との強固な密着性を確保しうると同時に、載置面の温度分布を均一化させた調理器具を製造することができる。
【００３７】
以下、本発明の実施の形態について、図面を参照しながら説明する。本発明の実施の形態にかかる調理器具の製造方法は、一部従来の製造方法を用いることができる。また、各実施の形態特有の製造方法を適宜組み合わせることもできる。なお、この実施の形態によって本発明が限定されるものではない。
【００３８】
（実施の形態１）
図１は、本発明の実施の形態１における製造方法に基づいて構成されたグリル皿の断面図を示すものである。なお、以降の説明において、本発明による製造方法に基づいて構成された調理器具をグリル皿と呼ぶ。
【００３９】
図１において、グリル皿１は、波板形状の載置面２の背面に、マイクロ波発熱体３を主成分とする発熱層４を圧着して構成したもので、発熱層４には載置面２の背面に連通する複数の連通孔５を形成している。
【００４０】
図２は、同実施の形態１におけるグリル皿１の載置面２の背面に圧着する前のシート体に成型された発熱層４Ａの状態を示す斜視図であり、図３は、同実施の形態１における発熱層４Ａ内のマイクロ波発熱体３の状態を示す断面図である。
【００４１】
図２、図３において、発熱層４を圧着前にこのようなシート体に成型する方法は、以下のようなものである。
【００４２】
例えばキュリー温度が２５０〜３３０℃のマイクロ波発熱体３（フェライト粉末６）と、バインダー７（シリコーンゴム）を所定配合量にして、オープンロール（図示せず）やニーダー（図示せず）などの混練加工装置を用い、フェライト粉末６がバインダー７の中に均一に分散するまで混練し、その後、必要に応じて架橋剤を添加し、再度混練する。
【００４３】
次に、これらの混練物の固まりを、スリット状の開口部（図示せず）を持つオープンロールで平板シート状に分出する。しかるのち、複数のピンを設けた打抜き型（図示せず）によって、図２に示すような複数の連通孔５を形成したシート状の発熱層４Ａが形成される。
【００４４】
図４は、同実施の形態１におけるグリル皿１の成型行程を示す模式図である。以上の図を用いて、本実施の形態１におけるグリル皿１の製造方法の構成、動作、作用について説明する。
【００４５】
図４において、成型工程は、（ａ）載置工程、（ｂ）脱気工程、（ｃ）脱気・圧着工程の順に進行させるものである。
【００４６】
まず、（ａ）載置工程では、グリル皿１の載置面２を下にして受け金型８の上に設置し、グリル皿１の載置面２の背面側にシート状の発熱層４Ａを載置する。なお、グリル皿１は、ステンレス鋼板、溶融アルミニウムメッキ鋼板、アルミニウム板などが適用可能であるが、高熱伝導性、低熱膨張性などから見て、溶融アルミニウムメッキ鋼板、アルミニウム板などが比較的好適である。
【００４７】
しかるのち、（ｂ）脱気工程では、シート状の発熱層４Ａの上方から圧着金型９を下降させてシート状の発熱層４Ａをグリル皿１の載置面２の背面形状に合うように押しつけながら、受け金型８と圧着金型９の周囲の空隙から脱気を行う。この時、発熱層４Ａには、あらかじめ複数の連通孔５が形成されているので、この連通孔５を通じて発熱層４Ａの両面から効率的に脱気処理が進行する。
【００４８】
そして、（ｃ）脱気・圧着工程では、最終的に脱気処理が完了し、グリル皿１の載置面２の背面側にシート状の発熱層４Ａを完全に圧着させる。これらの工程において、受け金型８、圧着金型９は、常時百数十度に保温されているため、発熱層４Ａは円滑にグリル皿１の載置面２の背面形状に沿って広がり、最終的に載置面２の背面に密着する。
【００４９】
以上のような製造方法で構成されたグリル皿１では、最終的に圧着された発熱層４と載置面２の背面との間には残留気泡などは発生せず、極めて密着性の高い状態を確保できる。また、（ｃ）脱気・圧着工程で発熱層４Ａの内部から微量のガスが徐々に発生しても、これらは微細な独立気泡に留まり、載置面２の背面側とマイクロ波発熱体との強固な密着性に影響することはない。
【００５０】
したがって、グリル皿１の載置面２の底面側と発熱層４との初期からの強固な密着性を確保し、調理性能向上と耐久性、安全性、信頼性を共に確立しうる製造方法を提供できる。
【００５１】
なお、この製造方法で構成されたグリル皿１の発熱層４には、複数の連通孔５が形成されるが、これらは脱気、圧着前に予め形成されたものであり、完成後の複数の連通孔５は明確な円孔状態を示さず、拡大して見ると比較的不規則な開口状態になり、本製造方法で構成したものであることを検証することができる。
【００５２】
（実施の形態２）
図５は、同実施の形態２におけるグリル皿１１の載置面１２の背面に圧着する前のシート体に成型された発熱層１３Ａの状態を示す斜視図である。
【００５３】
図５では、実施の形態１と同様に、スリット状の開口部を持つオープンロールで平板シート状に分出する。しかるのち、比較的細径の複数のピンを設けた打抜き型（図示せず）によって、図２に示すような複数の連通孔１４を形成したシート状の発熱層１３Ａが形成される。
【００５４】
図６は、同実施の形態１におけるグリル皿１１の成型行程を示す模式図である。図７は、図６で示す成型工程を経て完成したグリル皿１１の断面図である。以上の図を用いて、本実施の形態２におけるグリル皿１の製造方法の構成、動作、作用について説明する。
【００５５】
図６において、成型工程は、実施の形態１と同様に、（ａ）載置工程、（ｂ）脱気工程、（ｃ）脱気・圧着工程の順に進行させるものである。
【００５６】
まず、（ａ）載置工程では、グリル皿１１の載置面１２を下にして受け金型８の上に設置し、グリル皿１１の載置面１２の背面側にシート状の発熱層１３Ａを載置する。
【００５７】
しかるのち、（ｂ）脱気工程では、シート状の発熱層１３Ａの上方から圧着金型９を下降させてシート状の発熱層１３Ａをグリル皿１１の載置面１２の背面形状に合うように押しつけながら、受け金型８と圧着金型９の周囲の空隙から脱気を行う。
【００５８】
この時、発熱層４Ａには、あらかじめ複数の連通孔１４が形成されており、この連通孔１４を通じて発熱層１３Ａの両面から効率的に脱気処理が進行する。その過程で発熱層１３Ａの厚さは徐々に低減し、連通孔１４は比較的細径に構成されているので、連通孔１４の径も徐々に低減する。
【００５９】
そして、（ｃ）脱気・圧着工程では、最終的に脱気処理が完了し、グリル皿１の載置面２の背面側にシート状の発熱層１３Ａを完全に圧着させるが、この時点では、連通孔１４はほぼ閉塞状態となり、最終的に発熱層１３としてグリル皿１１の載置面１２の背面に圧着された状態では、これら連通孔１４は小規模の凹部１５として残存するか閉塞状態となる。
【００６０】
したがって、発熱層１３を構成する段階で確実な脱気処理を経て、載置面１２の底面側と発熱層１３との密着強度を確保して耐久性、安全性、信頼性を確立しうると共に、載置面１２の底面側を外気から保護することも可能となる。
【００６１】
なお、この製造方法で構成されたグリル皿１１の発熱層１３には、複数の連通孔１４が圧縮されて不規則な凹部１５や、微小な痕跡が形成されるので、これら連通孔１４が脱気、圧着前に予め形成されたものであり、本製造方法で構成したものであることを検証することができる。
【００６２】
（実施の形態３）
図８は、同実施の形態３におけるグリル皿２１の成型行程を示す模式図である。図９は、図８で示す成型工程を経て完成したグリル皿２１の断面図である。以上の図を用いて、本実施の形態３におけるグリル皿２１の製造方法の構成、動作、作用について説明する。
【００６３】
図８において、成型工程は、実施の形態１と同様に、（ａ）載置工程、（ｂ）脱気工程、（ｃ）脱気・圧着工程の順に進行させるものである。
【００６４】
まず、（ａ）載置工程では、グリル皿２１の載置面２２を下にして受け金型８の上に設置し、グリル皿２１の載置面２２の背面側に全く孔を設けていない平板シート状の発熱層２３Ａを載置する。
【００６５】
この時、上方に引き上げられている圧着金型２４は、圧着面にピン状の凸部２５を複数形成したものであり、これらの凸部２５は、圧着金型２４の中央部近傍に多く配設し、周囲方向に向けて配設密度を低下させた構成である。
【００６６】
しかるのち、（ｂ）脱気工程では、平板シート状の発熱層２３Ａの上方から圧着金型２４を下降させて平板シート状の発熱層２３Ａを、グリル皿２１の載置面２２の背面形状に合うように押しつけながら、受け金型８と圧着金型２４の周囲の空隙から脱気を行う。
【００６７】
この過程で、発熱層２３Ａと圧着金型２４の凸部２５とが接触するにつれ、発熱層２３Ａに凸部２５に対応した凹部２６が複数形成されていく。そして、これらの凹部２６を通じても効率的な脱気処理が進行する。
【００６８】
そして、（ｃ）脱気・圧着工程では、最終的に脱気処理が完了し、グリル皿２１の載置面２２の背面側にシート状の発熱層２３Ａを完全に圧着させて発熱層２３として圧着させることができる。
【００６９】
このようにして形成された発熱層２３には、凹部２６がグリル皿２１の中央部近傍に密に配設され、周囲方向に向けて疎に配設された状態になる。
【００７０】
このように製造されたグリル皿２１をマイクロ波加熱装置（図示せず）に使用した場合に、加熱装置内のマイクロ波エネルギーの偏りに対応してグリル皿２１の載置面２２の温度分布を均一に保つことができる。
【００７１】
また、グリル皿の中央部近傍はその周囲より放熱性が低いため、それに応じて複数の穴状の凹部２６の配設密度も容易に最適化することができる。
【００７２】
なお、この製造方法で構成されたグリル皿２１の発熱層２３Ａには、規則的に凹部２６が複数形成されるので、これらは少なくとも脱気、圧着時に圧着金型２４で形成されたことが明らかであり、本製造方法で構成したものとして検証することができる。
【産業上の利用可能性】
【００７３】
以上詳細に説明してきたように、本発明にかかるグリル皿の製造方法によれば、グリル皿の底面と発熱層との密着性を確保し、調理性能向上と耐久性、安全性、信頼性を確立しうる調理器具の製造方法を提供しうるので、電子レンジ等のマイクロ波加熱装置だけでなく、広範囲なマイクロ波加熱機器の部材の製造方法として適用できる。
【符号の説明】
【００７４】
１、１１、２１、１０２  グリル皿
２、１２、２２、１０７  載置面
３、１００  マイクロ波発熱体
４、４Ａ、１３、１３Ａ、２３、２３Ａ、１０１、１０１Ａ、１０１Ｂ  発熱層
５、１４  連通孔
８、１０８  受け金型
９、２４、１０６  圧着金型
２５、１０４  凸部
１５、２６  凹部
【図１】
2012011067.tif 000003
【図２】
2012011067.tif 000004
【図３】
2012011067.tif 000005
【図４】
2012011067.tif 000006
【図５】
2012011067.tif 000007
【図６】
2012011067.tif 000008
【図７】
2012011067.tif 000009
【図８】
2012011067.tif 000010
【図９】
2012011067.tif 000011
【図１０】
2012011067.tif 000012
【図１１】
2012011067.tif 000013
【図１２】
2012011067.tif 000014